【事件の表示】
　特許第２９３９５７３号「水系洗浄用助剤及び洗浄方法」の請求項１ないし５に係る特許に対する特許異議の申立てについて、次のとおり決定する。
【結　論】
　訂正を認める。
　特許第２９３９５７３号の請求項１ないし５に係る特許を維持する。
【理　由】
　
Ｉ．手続の経緯
　
　本件特許第２９３９５７３号は、平成５年８月５日に特許出願され、平成１１年６月１８日にその請求項１〜５に係る発明について特許の設定登録がなされ、その後、谷口勝美により全請求項に係る特許について特許異議の申立てがなされ、当審より取消理由通知がなされ、その指定期間内である平成１２年１１月１３日に訂正請求がなされ、その後、特許権者及び特許異議申立人への審尋を経て、当審より再度の取消理由通知がなされ、その指定期間内である平成１３年９月１７日に先の訂正請求の取り下げと新たな訂正請求がなされたものである。
　
　
II．訂正の適否
　
１．訂正の内容　
　本件特許明細書を訂正請求書に添付した訂正明細書のとおりに訂正する。
　即ち、
〔１〕訂正ａ
　特許請求の範囲の請求項１中の「アルカリ性多価金属化合物」を、「アルカリ性多価金属化合物（但し、カルシウムを含有する化合物、バリウムを含有する化合物、ランタンを含有する化合物および／または鉛を含有する化合物を除く）」と訂正する。
〔２〕訂正ｂ
　特許請求の範囲の請求項１中の「水系洗浄用助剤」を、「水系洗浄用助剤（但し、リン、硅素又は硼素より導かれたオキシ酸及びこれらのオキシ酸が重縮合した酸のうち少なくとも１種の酸成分を含有する洗浄剤、炭素数１〜３の飽和１価アルコールを１０．０重量％以上５５．０重量％未満含有する洗浄剤、又はピロリドンを４０〜９０重量％含有する洗浄剤に対する助剤を除く）」と訂正する。
〔３〕訂正ｃ
　明細書【０００９】中の（１）における「アルカリ性多価金属化合物」（公報４欄４０行）を、「アルカリ性多価金属化合物（但し、カルシウムを含有する化合物、バリウムを含有する化合物、ランタンを含有する化合物および／または鉛を含有する化合物を除く）」と、又、「水系洗浄用助剤」（公報４欄４３行）を、「水系洗浄用助剤（但し、リン、硅素又は硼素より導かれたオキシ酸及びこれらのオキシ酸が重縮合した酸のうち少なくとも１種の酸成分を含有する洗浄剤、炭素数１〜３の飽和１価アルコールを１０．０重量％以上５５．０重量％未満含有する洗浄剤、又はピロリドンを４０〜９０重量％含有する洗浄剤に対する助剤を除く）」と訂正する。
〔４〕訂正ｄ
　明細書【００１１】中の「、及びそれらの誘導体に由来するもの」（公報５欄１６〜１７行）を削除する。
　
２．訂正の目的の適否、新規事項の有無および拡張・変更の存否、独立特許要件について
　訂正ａは、（訂正前の）請求項１において「アルカリ性多価金属化合物」と記載されていた化合物から特定の化合物を除外するものであり、又、訂正ｂは、同じく（訂正前の）請求項１において「水系洗浄用助剤」と記載されていた助剤から特定の助剤を除外するものであるから、いずれの訂正も特許請求の範囲の減縮に当たる。又、これら特定の化合物ないし特定の助剤が除外された後の「アルカリ性多価金属化合物」や「水系洗浄用助剤」は、（訂正前の）請求項１に記載された「アルカリ性多価金属化合物」や「水系洗浄用助剤」中に、もともと含まれていたものであるから、これらの訂正は、願書に添付した明細書に記載した事項の範囲内においてなされたものである。又、実質上特許請求の範囲を拡張又は変更するものでもない。
　又、訂正ｃは、上記訂正ａ及びｂによる請求項１の訂正に伴い、明細書の【０００９】における記載を該訂正内容と一致させて、請求項１の記載との整合を図ったものであるから、明りょうでない記載の釈明に当たる。又、専ら整合のためになされたかかる訂正は、訂正ａ及びｂについての上記検討結果からみて、新規事項を追加するものではなく、又、実質上特許請求の範囲を拡張又は変更するものでもないことは明らかである。
　又、訂正ｄは、明細書の【００１１】における（請求項１中に記載された）「高級脂肪酸又は樹脂酸類」の語を定義する記載中の「、及びそれらの誘導体に由来するもの」という、意味する範囲が客観的にみて不明瞭と認められる語句を削除するものであるから、明りょうでない記載の釈明に当たる。又、上記不明瞭な語句が削除された後の「高級脂肪酸又は樹脂酸類」は、（訂正前の）【００１１】ないし請求項１に記載された「高級脂肪酸又は樹脂酸類」中に、もともと含まれていたものであるから、この訂正は、願書に添付した明細書に記載した事項の範囲内においてなされたものである。又、実質上特許請求の範囲を拡張又は変更するものでもない。
　
３．むすび
　よって、上記訂正は、特許法第１２０条の４第３項において準用する平成６年法律第１１６号による改正前の特許法第１２６条第１項ただし書き及び第２項の規定に適合するので、当該訂正を認める。
　
　
III．特許異議申立てについて
　
１．特許異議申立ての理由の概要
　特許異議申立人は、証拠として下記甲第１〜７号証を提示して、（ｉ）本件請求項１，２に係る発明は、甲第１号証に記載された発明であり、又、本件請求項４に係る発明は、甲第４号証に記載された発明であり、又、本件請求項５に係る発明は、甲第１，４号証に記載された発明であるから、本件請求項１，２，４，５に係る特許は、特許法第２９条第１項の規定に違反してなされたものであり、又、（ii）本件請求項１に係る発明は、甲第１，３号証に記載された発明に基づいて当業者が容易に発明をすることができたものであるから、本件請求項１に係る特許は、特許法第２９条第２項の規定に違反してなされたものであり、又、（iii）本件請求項１，４，５に係る発明は、甲第５〜７号証に記載された発明と同一であるから、本件請求項１，４，５に係る特許は、特許法第２９条の２の規定に違反してなされたものであり、又、（iv）本件明細書には記載不備があるから、本件各請求項に係る特許は、特許法第３６条第４，６項の規定に違反してなされたものである旨主張する。
　　　　　　　　　　　　　　　　　記
　甲第１号証：特開昭５３-３４３６６号公報
　甲第２号証：精密洗浄装置と最新応用技術編集委員会編「精密洗浄装置と最新応用技術」工業資料センター，1991-11-8，p.561〜563
　甲第３号証：辻薦編著「精密洗浄技術マニアル」新技術開発センター，1986-7-30，p.186〜189
　甲第４号証：特開平４−８８０９８号公報
　甲第５号証：特願平４−３２３０３９号(特開平６−１９２６８７号公報)
　甲第６号証：特願平５−１０２７７６号(特開平６−３１３１９７号公報)
　甲第７号証：特願平５−９２９３５号(特開平６−１７２７０号公報)
　
２．本件発明　
　本件請求項１〜５に係る発明（以下、それぞれ、「本件発明１」〜「本件発明５」という。）は、訂正明細書の記載からみて、その特許請求の範囲の請求項１に記載された次のとおりのものである。
「【請求項１】重金属元素含有無機物構造体を表面に有する固体表面から高級脂肪酸又は樹脂酸類を含有する有機系付着物を除去する際に用いる水系洗浄剤の洗浄用助剤であって、高級脂肪酸又は樹脂酸類と難解離性塩を形成するアルカリ性多価金属化合物（但し、カルシウムを含有する化合物、バリウムを含有する化合物、ランタンを含有する化合物および／または鉛を含有する化合物を除く）及び高級脂肪酸又は樹脂酸類と難解離性塩を形成するアルカリ性含窒素化合物よりなる群から選ばれる少なくとも１種の化合物を含有してなる、水系洗浄用助剤（但し、リン、硅素又は硼素より導かれたオキシ酸及びこれらのオキシ酸が重縮合した酸のうち少なくとも１種の酸成分を含有する洗浄剤、炭素数１〜３の飽和１価アルコールを１０．０重量％以上５５．０重量％未満含有する洗浄剤、又はピロリドンを４０〜９０重量％含有する洗浄剤に対する助剤を除く）。
　【請求項２】アルカリ性多価金属化合物を構成する陽イオンが、周期表第３周期ないし第６周期元素の２価以上の金属イオンであることを特徴とする請求項１記載の水系洗浄用肋剤。
　【請求項３】アルカリ性含窒素化合物が、１級、２級及び３級窒素原子よりなる群から選ばれる窒素原子を１分子中に合計３ケ以上持ち、且つ全元素組成中の窒素原子含有量が２重量％以上、分子量が１０、０００以下の含窒素ポリマーであることを特徴とする請求項１記載の水系洗浄用助剤。
　【請求項４】アルカリ性含窒素化合物が、１級、２級及び３級窒素原子よりなる群から選ばれる窒素原子を１分子中に合計１〜４ケ含み、且つこれらの窒素原子に結合した炭素数２〜２４の、アルキル基，アルケニル基，シクロアルキル基，アリール基又はヒドロキシアルキル基を１ケ以上持つことを特徴とする請求項１記載の水系洗浄用助剤。
　【請求項５】重金属元素含有無機構造体を表面に有する固体表面から高級脂肪酸又は樹脂酸類を含有する有機系付着物を除去する洗浄方法において、請求項１〜４記載の水系洗浄用助剤を水系洗浄剤に対して０．１〜６重量％添加して洗浄することを特徴とする洗浄方法。」
　
３．甲各号証に記載の事項　
〈甲第１号証〉
　ア．「即ち、本発明は、基礎液に、被洗浄体の基礎液に可溶な組成成分と同一物質等、可溶組成成分の基礎液への溶解を妨げる物質を、飽和点又はこの近傍まで溶解した洗浄流体を使用し、これによって被洗浄体から可溶性組成成分が溶出することを極力防止するようになっている。」（２頁右上欄１３行〜左下欄２行）
　イ．「次に本発明の実施例を説明する。この実施例では、光学ガラスのレンズ、プリズムなどの光学素子、例えば、ＳＫ系、ＢaＫ系、ＳＳ系、ＢaＳＦ系、ＢaＦ系、ＢaＬＦ系、ＢaＬＫ系等の水溶性のＢａＯを組成成分として含有するガラスの光学素子、或いは…（中略）…を、水を基礎液としてこれに水系溶剤を添加した洗浄流体で洗浄するようになっている。
　図で、１は上記のような水溶性物質を組成成分とするガラスレンズである。このガラスレンズ１の表面には加工時に指紋等の種々の汚れが付着している。」（２頁左下欄１３行〜右下欄９行）
　ウ．「レンズがＢａＯを含んでいる場合はＢａＯ、Ｂａ(ＯＨ)２等の水溶性バリウム化合物が、基礎液たる水に飽和点又はこの近傍まで溶解されている。」（３頁左上欄８〜１０行）
〈甲第２号証〉
　エ．光学部品に付着する汚れの一として、「指紋（油脂＋塩類）」があること。（５６３頁「表４．汚れの分類と洗浄液（洗浄方法）」）
〈甲第３号証〉
　オ．ガラスの保存中あるいは洗浄過程で起こる変質に関する以下の記載事項。
「青やけ：ガラスの表面が，水または各種水溶液と接触するとき，表層の可溶性成分が選択的に溶出して，そのあとにはＳiＯ２に富む層が残される。…（中略）…
〈甲第４号証〉
　カ．「組成物中１０．０重量％以上５５．０重量％未満の炭素数１〜３の飽和１価アルコール、…（中略）…及び組成物中４０．０重量％以上８５．０重量％未満の水からなることを特徴とする洗浄剤組成物。」（特許請求の範囲第１項）
　キ．「本発明は、ＣＦＣ（フロロフルオロカーボン）-１１３溶剤の代替アルコール系洗浄剤組成物に関するものである。
　【従来の技術】
　従来の電機、電子、光学、精密工業用途向け洗浄剤としてＣＦＣ-１１３が、その多くの特性より広く用いられてきた。」（１頁右欄２〜８行）
　ク．「更に本発明洗浄剤組成物にはアミン類を併用しても良く、例えば…（中略）…脂環式アミンはシクロヘキシルアミン、」（２頁左下欄５〜９行）
〈甲第５号証〉
　ケ．「沸点が８０℃以上でＰＫa値が１１〜０であるアミン類と、リン、硅素又は硼素より導かれたオキシ酸およびこれらのオキシ酸が重縮合した酸のうち少なくとも１種の酸成分と、界面活性剤と、アルカリ金属、アルカリ土類金属の水酸化物およびアンモニアからなる群より選ばれた少なくとも１種のアルカリ化合物とを含みｐＨ値を９以上１４以下に調整されている水溶液系洗浄用組成物。」（特許請求の範囲【請求項１】）
　コ．「電子機器部品、光学機器部品あるいは精密機器部品等の精密加工部品を製造する場合、…（中略）…ワックス、たとえば、エステルレジンやロジンエステル、カルナウバロウ、松ヤニ、ミツロウ等を配合したもの等を用いて部品に使用する素材を一時的に固着することがある。」（２頁１欄２５〜３１行）
　サ．「すなわち、水晶高周波フィルターや発振子、…（中略）…ウェハー等は、水晶結晶、チタン酸バリウム、タンタル酸鉛、アルミナ、炭化珪素等の素材結晶又はインゴットを上記のような一時固着ワックス（ホットメルト型接着剤）で接着した状態で油系切削剤でスライスされたり」（２頁１欄３２〜３８行）
　シ．「第１発明において使用される沸点が８０℃以上で解離定数ＰＫaが１１〜０の塩基性が高いアミン類としては、…（中略）…例えば、ヘキシルアミン、ヘプチルアミン、オクチルアミン、ノニルアミン等のアルキルアミン類」（２頁２欄２３〜２８行）
〈甲第６号証〉
　ス．「ピロリドンを４０〜９０重量％、水を６０〜１０重量％含有する混合液に、脂肪族アミン、芳香族アミン及び含窒素複素環化合物よりなる群から選ばれる１種又は２種以上を０．１〜１０重量％含有させてなることを特徴とする脱脂洗浄剤。」（特許請求の範囲【請求項１】）
　セ．「本発明で使用される脂肪族アミンとしては、…（中略）…シクロヘキシルアミン等の炭素数が１〜６程度のアルキル基を有する水溶性アミンが挙げられる。」（２頁２欄５０行〜３頁３欄５行）
　ソ．「なお、本発明において洗浄処理対象となる油分が付着した被洗浄物としては、電子部品、電機部品、精密機械部品、樹脂加工部品、光学部品等の精密部品、…（中略）…が挙げられる。」（３頁４欄３〜７行）
　タ．「これらの被洗浄物に付着する油分としては油脂、機械油、切削油、熱処理油、グリース等が挙げられる。」（３頁４欄２１〜２３行）
〈甲第７号証〉
　チ．「ピロリドンと水との混合液に、アルカリ金属塩、アルカリ土類金属塩、アルカリ金属の水酸化物及びアルカリ土類金属の水酸化物よりなる群から選ばれる１種又は２種以上を０．００１〜１０重量％含有させてなることを特徴とする脱脂洗浄剤。」（特許請求の範囲【請求項１】）
　ツ．「アルカリ土類金属の水酸化物としては、水酸化カルシウム等が挙げられる。」（３頁３欄２３〜２５行）
　テ．「なお、本発明において洗浄処理対象となる油分が付着した被洗浄物としては、電子部品、電機部品、精密機械部品、樹脂加工部品、光学部品等の精密部品、…（中略）…が挙げられる。」（３頁４欄２５〜２９行）
　ト．「これらの被洗浄物に付着する油分としては油脂、機械油、切削油、熱処理油、グリース等が挙げられる。」（３頁４欄４３〜４５行）
　
４．対比・判断　
 (ｉ) 特許法第２９条第１項違反について
　特許異議申立人は、特許法第２９条第１項違反の主張の証拠として、（前記III．１（「特許異議申立の理由の概要」）で述べたように、）本件発明１，２に対して甲第１号証を、本件発明４に対して甲第１，４号証を、又、本件発明５に対して甲第１，４号証を提示する。
　そこで、先ず、本件発明１と甲第１号証に記載のもの（前記III．３．ア〜オ参照）を対比すると、後者における「光学ガラスのレンズ、プリズム等の光学素子」や「ガラスレンズ」は、前者における「重金属元素含有無機物構造体」に相当するとともに、（前者の実施例で洗浄対象物として「光学用ガラス」が用いられていることからみて）前者でいう「重金属元素含有無機物構造体を表面に有する固体」にも相当するものと解される。又、後者における「指紋」は、前記III．３．エにみるように、油脂を含むものであり、又、この油脂とは、指紋の場合、略ぼ、皮脂に当たると解されるところ、ヒトの皮脂には、高級脂肪酸が相当量含まれることは周知である（例えば、田村健夫著「香料品科学」日本毛髪科学協会（1989-４-10　第12版）参照）から、結局、後者の「指紋」は、前者における「高級脂肪酸…を含有する有機系付着物」に相当する。又、後者における「水」を基礎液とする「洗浄流体」は、後者における「水系洗浄剤」に相当し、又、後者における「被洗浄体の……可溶組成成分の基礎液への溶解を妨げる物質」は、前者における「水系洗浄用助剤」に含有させる「化合物」に相当する。又、後者における「ＢａＯ、Ｂａ(ＯＨ)２等の水溶性バリウム化合物」は、「アルカリ性多価金属化合物」の概念に含まれる。以上のことから、結局、両者は、少なくとも、
　重金属元素含有無機物構造体を表面に有する固体表面から高級脂肪酸又は樹脂酸類を含有する有機系付着物を除去する際に用いる水系洗浄剤の洗浄用助剤であって、アルカリ性多価金属化合物を含有してなる水系洗浄用助剤、
である点で共通する。
　しかし、本件発明１における「アルカリ性多価金属化合物」からは、（本件請求項１の括弧書きの但し書きにより）「カルシウムを含有する化合物、バリウムを含有する化合物、ランタンを含有する化合物および／または鉛を含有する化合物」（以下、「特定化合物」という。）が除外されるから、甲第１号証に記載の上記「ＢａＯ、Ｂａ(ＯＨ)２等の水溶性バリウム化合物」は、本件発明１における、上記特定化合物が除外された「アルカリ性多価金属化合物」には当たらないことが明らかである。又、甲第１号証は、具体例として上記「ＢａＯ、Ｂａ(ＯＨ)２等の水溶性バリウム化合物」を挙げるほかは、単に、「被洗浄体の……可溶組成成分の基礎液への溶解を妨げる物質」と記載するだけであるから、かかる甲第１号証の記載からは、上記「ＢａＯ、Ｂａ(ＯＨ)２等の水溶性バリウム化合物」以外に、そこでいう「溶解を妨げる物質」として、本件発明１の上記特定化合物が除外された「アルカリ性多価金属化合物」に当たるものが、自明に導き出せるともいえない。
　したがって、その他の相違点について（その有無をも含め）検討するまでもなく、本件発明１を甲第１号証に記載された発明であるということはできない。
　
　又、本件発明２，５は、いずれも、本件発明１の「水系洗浄用助剤」を引用し（なお、本件発明５は本件発明２〜４の水系洗浄用助剤をも引用するが、この場合も、本件発明２〜４が本件発明１の水系洗浄用助剤を引用するから、結局、本件発明１の水系洗浄用助剤を引用する。）つつ、要件をより限定したもので（なお又、本件発明５では、発明のカテゴリーの変更をも伴う。）あり、従って、上記引用によって本件発明２，５の要件となる水系洗浄用助剤は、そこに含有される「アルカリ性多価金属化合物」から、引用された本件発明１におけると同様、特定化合物が除外されるから、本件発明１が、上記のように、該除外あるがゆえに甲第１号証に記載された発明であるといえない以上、本件発明２，５も、甲第１号証に記載された発明であるとはいえない。
　
　次に、本件発明４と甲第４号証に記載のもの（前記III．３．カ〜ク参照）を対比するに、本件発明４は、本件発明１の「アルカリ性含窒素化合物」を特定範囲のものに限定したものであるところ、甲第４号証には、光学、精密工業用途向けのフラックス、油性切削油などの汚れに対して使用する洗浄剤組成物として、「１０．０重量％以上５５．０重量％未満の炭素数１〜３の飽和１価アルコール」、「４０．０重量％以上８５．０重量％未満の水」のほか、「シクロヘキシルアミン」、「ジメチルステアリルアミン」その他の特定アミンを含有させたものが記載されているから、この洗浄剤組成物は、水性であること、洗浄対象物、除去すべき汚れの点で本件発明４と共通性を有することが認められるほか、甲第４号証の上記「シクロヘキシルアミン」、「ジメチルステアリルアミン」は、本件発明４の上記特定範囲に限定された「アルカリ性含窒素化合物」に該当する化合物であることも明らかである。
　しかし、本件発明４の水系洗浄用助剤は、（本件請求項４が引用する本件請求項１の括弧書きされた但し書きにより）そこから「リン、硅素又は硼素より導かれたオキシ酸及びこれらのオキシ酸が重縮合した酸のうち少なくとも１種の酸成分を含有する洗浄剤、炭素数１〜３の飽和１価アルコールを１０．０重量％以上５５．０重量％未満含有する洗浄剤、又はピロリドンを４０〜９０重量％含有する洗浄剤に対する助剤」（以下、「特定洗浄剤に対する助剤」という。）が除外されるものであるところ、甲第４号証に記載の洗浄剤組成物は、まさに、上記特定洗浄剤の一たる「炭素数１〜３の飽和１価アルコール」を「１０．０重量％以上５５．０重量％未満」含有する洗浄剤、であるから、かかる特定洗浄剤に対する助剤たる甲第４号証の上記「シクロヘキシルアミン」等のアミンを含有する洗浄助剤は、本件発明４の上記特定洗浄剤に対する助剤が除外された水系洗浄用助剤には当たらない。
　したがって、その他の相違点について（その有無をも含め）検討するまでもなく、本件発明４を甲第４号証に記載された発明であるということはできない。
　
　又、本件発明５は、前述のように、本件発明１の「水系洗浄用助剤」を引用しつつ、要件を更に限定した（なお、該水系洗浄用助剤を用いる洗浄方法への、発明のカテゴリーの変更をも伴う。）ものであるから、本件発明５の「水系洗浄用助剤」からは、本件発明１と同様、上記特定助剤が除外される。従って、本件発明１が、上記のように、該除外のゆえに甲第４号証に記載された発明であるといえない以上、本件発明５も、甲第４号証に記載された発明であるとはいえない。
　
 (ii) 特許法第２９条第２項違反について
　特許異議申立人は、本件発明１に対し、特許法第２９条第２項違反の主張の証拠として（前記III．１（「特許異議申立の理由の概要」）で述べたように）甲第１，３号証を提示している。
　しかし、本件発明１は、甲第１号証に記載のものに比べ、上記（ｉ）で述べたように、少なくとも、水系洗浄用助剤中に含有される「アルカリ性多価金属化合物」から特定化合物が除外される点で相違しており、もとより又、甲第１号証には、該除外される特定化合物についての示唆を与え得る記載も格別見出せないところである。一方、甲第３号証には、上記III．３．オに摘示したように、ガラスの青やけに関する説明において、ガラスの表面が水または各種水溶液と接触するとき、表層の可溶性成分が選択的に溶出すること、該可溶性成分には、（金属化合物として）ＢaＯ，ＣaＯ，ＰbＯ，Ｌa２Ｏ３があること、が記載されてはいるが、これらのＢaＯ，ＣaＯ，ＰbＯ，Ｌa２Ｏ３は、（本件請求項１の括弧書きの但し書きにより）本件発明１の「アルカリ性多価金属化合物」から除外される特定化合物にほかならないから、上記相違点に係る本件発明１の構成に相当し得るものではない。又、甲第３号証の上記記載は、ＢaＯ，ＣaＯ，ＰbＯ，Ｌa２Ｏ３以外には、そこでいう可溶性成分として、他の金属化合物を具体的には何も示唆するものでもない。
　してみれば、これら甲第１及び３号証に記載のものを組み合わせてみても、本件発明１の構成を構築することはできない。
　そして、本件発明１は、上記相違点に係る構成を含む前記認定したとおりの構成により、重金属元素含有無機物構造体表面から高級脂肪酸又は樹脂酸類の浸食による重金属イオンの溶出を阻止し、同時に高い洗浄性を確保することができるという効果を奏する。
　したがって、本件発明１と甲第１号証に記載の発明とのその他の相違点について（その有無をも含め）検討するまでもなく、本件発明１を、甲第１，３号証に記載の発明に基づいて、当業者が容易に発明することができたものであるということはできない。
　
(４-３) 特許法第２９条の２違反について
　特許異議申立人は、特許法第２９条の２違反の主張の証拠として、（前記III．１（「特許異議申立の理由」）で述べたように、）本件発明１，４，５に対して甲第５〜７号証を提示する。
　そこで、先ず、本件発明１と甲第５〜７号証に記載のものを対比すると、前記III．３．ケ〜トにみるように、甲第５号証には、チタン酸バリウム，タンタル酸鉛等からなる光学機器部品等の精密加工部品に付着しているエステルレジン、ロジンエステル、松ヤニ等の汚れの洗浄に用いるノニルアミン等のアミンやアルカリ土類金属水酸化物を含む水溶液系洗浄用組成物について記載され、又、甲第６号証には、光学部品等の精密部品に付着している油脂、機械油、切削油等の洗浄剤として、シクロヘキシルアミン等のアミンを含む水性の洗浄剤について記載され、又、甲第７号証には、光学部品等の精密部品に付着している油脂、機械油、切削油等の洗浄剤として、アルカリ土類金属水酸化物を含む水性の洗浄剤について記載されており、これらの記載からみて、甲５〜７号証の洗浄用組成物ないし洗浄剤（以下、単に「洗浄剤」という。）は、水性であること、洗浄対象物、除去すべき汚れの点で本件発明１と共通性を有するほか、甲第５，７号証に記載の「アルカリ土類金属の水酸化物」は、本件発明１における「アルカリ性多価金属化合物」に含まれ、又、甲第５，６号証に記載の例えば「ノニルアミン」（甲第５号証）や「シクロヘキシルアミン」（甲第６号証）は、本件発明１における「アルカリ性含窒素化合物」に含まれ、更に又、これら甲号証の各化合物は、水性洗浄剤に対して用いられているから、これらの化合物ないしそれを含有するものを（本件発明１におけると同様に）「水系洗浄用助剤」と言うことができる。
　しかし、本件発明１の「水系洗浄用助剤」からは、前記のとおり、特定洗浄剤に対する助剤が除外されるものであるところ、甲第５，６号証に記載の洗浄剤は、「リン、硅素又は硼素より導かれたオキシ酸及びこれらのオキシ酸が重縮合した酸のうち少なくとも１種の酸成分を含有する洗浄剤」（甲第５号証）、或いは「ピロリドンを４０〜９０重量％含有する洗浄剤」（甲第６号証）であり、これらは、本件発明１における特定洗浄剤にほかならないから、かかる特定洗浄剤に対して用いられるものである甲第５，６号証の上記「ノニルアミン」や「シクロヘキシルアミン」ないしこれらを含有するものは、（上記のとおり、「水系洗浄用助剤」ということはできても、）本件発明１の特定洗浄剤に対する助剤が除外された「水系洗浄用助剤」には当たらないことが明らかである。
　又、甲第７号証に記載の洗浄剤は、甲第７号証の記載によれば、「ピロリドン」を「通常、４０〜９０重量％」含有する（【００１０】参照）とされ、一見、ピロリドン含有量に幅があるかのようにも見えるが、しかし、甲第７号証は、「通常」でない場合とは如何なる場合をいうのか（通常の種類以外のピロリドンの場合、という意味なのか、或いは、同一種類のピロリドンでも、他の条件が通常でない場合、という意味なのか、又、上記通常の種類以外とか、他の条件が通常でないとかは、具体的に如何なる場合なのか）、更に又、そのような「通常」でない場合のピロリドンの含有量範囲はどの位になるというのか、については全く明らかにしていないから、甲第７号証には、上記「４０〜９０重量％」以外の範囲の含有量については実質的な開示がないものと言わざるを得ない。そして、実質的に開示された「４０〜９０重量％」の範囲にピロリドンを含有する洗浄剤は、（上記甲第６号証同様、）本件発明１における特定洗浄剤にほかならず、従って又、かかる特定洗浄剤に対して用いられる洗浄助剤は、（たとえ、「水系洗浄用助剤」ということはできても、）本件発明１の特定洗浄剤に対する助剤が除外された「水系洗浄用助剤」には当たらないことが明らかである。
　更に又、甲第７号証には、「アルカリ土類金属の水酸化物」を含有させる旨の記載があり、該「アルカリ土類金属の水酸化物」は、概念上、本件発明１の「アルカリ性多価金属化合物」に含まれるものではあるが、甲第７号証には、該アルカリ土類金属の水酸化物としては、段落【００１８】に、「水酸化カルシウム等が挙げられる。」の一行記載があるのみである上、実施例では、専ら、（アルカリ土類金属ならぬ）アルカリ金属の塩や水酸化物の例の記載に終始している。しかも、上記一行記載の中で、唯一、具体名が挙げられた「水酸化カルシウム」は、本件発明１において、（前述のように、本件請求項１の括弧書きの但し書きにより、他のやはり典型的なアルカリ土類金属水酸化物である水酸化バリウムや水酸化ランタンとともに、）「アルカリ性多価金属化合物」から除外される特定化合物にほかならない。
　そして、上記除外される特定化合物以外で、甲第７号証の「アルカリ土類金属の水酸化物」の語に概念上含まれるその他の化合物としては、水酸化マグネシウムや水酸化ストロンチウム等があるが、これらは、甲第７号証には、実施例としては勿論、単なる化合物名としても、具体的には記載されていない化合物であることは上述したとおりである。（因みに、本件明細書では、「マグネシウム、カルシウム、ストロンチウム、バリウムなどのアルカリ土類金属」の「アルカリ性多価金属化合物」として、より具体的に記載され、且つ、実施例にも（代表的なものだけではあるが）アルカリ土類金属の水酸化物の例が示されている。）
　これらのことを総合すれば、甲第７号証には、洗浄助剤中に、ピロリドンを「４０〜９０重量％」を
超える
以外の
高級脂肪酸又は樹脂酸類との難解離性塩を形成
　したがって、その他の相違点について（その有無をも含め）検討するまでもなく、本件発明１は、甲第５〜７号証に記載のいずれの発明とも同一であるということはできない。
　
　又、本件発明４，５は、いずれも、本件発明１の「水系洗浄用助剤」を引用しつつ、それを更に限定した（なお、本件発明５では、発明のカテゴリーの変更を伴う。）ものであり、従って、これら本件発明４，５における「水系洗浄用助剤」からは、本件発明１におけると同様、特定洗浄剤に対する助剤が除外されるから、本件発明１が、上記のように、該除外あるがゆえに甲第５〜７号証に記載のものと同一の発明であるといえない以上、本件発明４，５も、甲第１号証に記載のものと同一の発明であるとはいえない。
　
 (４-４) 特許法第３６条違反について
　特許異議申立人は、本件請求項１の記載につき、高級脂肪酸のアルキル基の鎖長の記載がないこと、高級脂肪酸、樹脂酸類が、実際の実用面においてどのような汚れを意味するのか不明確であること等を挙げて、「難解離性」の語の意味が不明確であると主張するが、本件明細書の段落【００１１】には、本明細書において「高級脂肪酸又は樹脂酸類」とは、前記の重金属元素含有無機物構造体の表面に付着する汚れ成分であって、半導体ウェハーのポリッシング、ラッピング時の仮止め用接着剤ほか、該段落中に種々具体的に示す汚れ中に存在する高級脂肪酸又はロジン類の樹脂酸をいう旨記載されていて、汚れの意味・種類は具体的で明確であり、従って又、（本件請求項１でいう）かかる汚れの成分としての高級脂肪酸、樹脂酸類が具体的にどのようなものをいうのかを当業者が把握することは困難なことではない。そして、段落【００１２】には、これらの高級脂肪酸又は樹脂酸類の塩について、該段落中に記載するような所定の設計濃度で所定の電気伝導度を示す状態を本明細書における「難解離性」と言う旨説明されているのであるから、「難解離性」の語の意味が不明確であるとする特許異議申立人の上記主張には理由がない。
　又、特許異議申立人は、本件請求項３の記載につき、「分子量が１０，０００以下の含窒素ポリマー」の記載は実施例１６，１７の記載と矛盾し、又、ポリマー分子量の下限が不明確であると主張するが、実施例１６，１７は、本件発明３とは対応していないとみれば、何ら記載上の矛盾はない。又、含窒素ポリマーの分子量の下限については、たとえ、数量的に下限が表示されていないとしても、請求項３には、「１級、２級及び３級窒素原子よりなる群から選ばれる窒素原子を１分子中に合計３ケ以上持」ち、且つ、（本件請求項１の記載の引用を介して）上記汚れ中の「高級脂肪酸又は樹脂酸類と難解離性塩を形成する」という限定的要件が規定されており、かかる要件により、又、適宜、明細書中の具体例についての記載をも参酌して、当該ポリマーが本件発明３のポリマーに該当するかどうかを確認することは、当業者にとって困難なことではないから、この点でも、本件請求項３の記載が不備であるとはいえない。
　
５．むすび　
　以上のとおりであるから、特許異議申立ての理由及び証拠によっては、本件発明１〜５に係る特許を取り消すことはできない。
　また、他に本件発明１〜５に係る特許を取り消すべき理由を発見しない。
　したがって、本件発明１〜５についての特許は拒絶の査定をしなければならない特許出願に対してされたものとは認めない。
　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１１月１５日（２００１．１１．１５）
【訂正の要旨】
　訂正の要旨
　特許第２９３９５７３号の明細書を、特許請求の範囲の減縮及び明りょうでない記載の釈明を目的として、訂正請求書に添付した訂正明細書のとおりに訂正する。
　即ち、
〔１〕訂正ａ
　特許請求の範囲の請求項１中の「アルカリ性多価金属化合物」を特許請求の範囲の減縮を目的として、「アルカリ性多価金属化合物（但し、カルシウムを含有する化合物、バリウムを含有する化合物、ランタンを含有する化合物および／または鉛を含有する化合物を除く）」と訂正する。
〔２〕訂正ｂ
　特許請求の範囲の請求項１中の「水系洗浄用助剤」を特許請求の範囲の減縮を目的として、「水系洗浄用助剤（但し、リン、硅素又は硼素より導かれたオキシ酸及びこれらのオキシ酸が重縮合した酸のうち少なくとも１種の酸成分を含有する洗浄剤、炭素数１〜３の飽和１価アルコールを１０．０重量％以上５５．０重量％未満含有する洗浄剤、又はピロリドンを４０〜９０重量％含有する洗浄剤に対する助剤を除く）」と訂正する。
〔３〕訂正ｃ
　明細書【０００９】中の（１）における「アルカリ性多価金属化合物」（公報４欄４０行）を、「アルカリ性多価金属化合物（但し、カルシウムを含有する化合物、バリウムを含有する化合物、ランタンを含有する化合物および／または鉛を含有する化合物を除く）」と、又、「水系洗浄用助剤」（公報４欄４３行）を、「水系洗浄用助剤（但し、リン、硅素又は硼素より導かれたオキシ酸及びこれらのオキシ酸が重縮合した酸のうち少なくとも１種の酸成分を含有する洗浄剤、炭素数１〜３の飽和１価アルコールを１０．０重量％以上５５．０重量％未満含有する洗浄剤、又はピロリドンを４０〜９０重量％含有する洗浄剤に対する助剤を除く）」と訂正する。
〔４〕訂正ｄ
　明細書【００１１】中の「、及びそれらの誘導体に由来するもの」（公報５欄１６〜１７行）を削除する。
（５４）【発明の名称】
水系洗浄用助剤及び洗浄方法
（５７）【特許請求の範囲】
　【請求項１】　重金属元素含有無機物構造体を表面に有する固体表面から高級脂肪酸又は樹脂酸類を含有する有機系付着物を除去する際に用いる水系洗浄剤の洗浄用助剤であって、高級脂肪酸又は樹脂酸類と難解離性塩を形成するアルカリ性多価金属化合物
（但し、カルシウムを含有する化合物、バリウムを含有する化合物、ランタンを含有する化合物および／または鉛を含有する化合物を除く）
（但し、リン、硅素又は硼素より導かれたオキシ酸及びこれらのオキシ酸が重縮合した酸のうち少なくとも１種の酸成分を含有する洗浄剤、炭素数１〜３の飽和１価アルコールを１０．０重量％以上５５．０重量％未満含有する洗浄剤、又はピロリドンを４０〜９０重量％含有する洗浄剤に対する助剤を除く）
　【請求項２】　アルカリ性多価金属化合物を構成する陽イオンが、周期表第３周期ないし第６周期元素の２価以上の金属イオンであることを特徴とする請求項１記載の水系洗浄用助剤。
　【請求項３】　アルカリ性含窒素化合物が、１級、２級及び３級窒素原子よりなる群から選ばれる窒素原子を１分子中に合計３ケ以上持ち、且つ全元素組成中の窒素原子含有量が２重量％以上、分子量が１０、０００以下の含窒素ポリマーであることを特徴とする請求項１記載の水系洗浄用助剤。
　【請求項４】　アルカリ性合窒素化合物が、１級、２級及び３級窒素原子よりなる群から選ばれる窒素原子を１分子中に合計１〜４ケ含み、且つこれらの窒素原子に結合した炭素数２〜２４の、アルキル基，アルケニル基，シクロアルキル基，アリール基又はヒドロキシアルキル基を１ケ以上持つことを特徴とする請求項１記載の水系洗浄用助剤。
　【請求項５】　重金属元素含有無機構造体を表面に有する固体表面から高級脂肪酸又は樹脂酸類を含有する有機系付着物を除去する洗浄方法において、請求項１〜４記載の水系洗浄用助剤を水系洗浄剤に対して０．１〜６重量％添加して洗浄することを特徴とする洗浄方法。
【発明の詳細な説明】
　【０００１】
　【産業上の利用分野】
　本発明は水系洗浄用助剤及びそれを用いた洗浄方法に関する。更に詳しくは、重金属元素含有無機物構造体を表面に有する固体表面から、高級脂肪酸又は樹脂酸類を含有する有機系付着物を除去するために用いる水系洗浄剤の洗浄用助剤であって、該無機物構造体からの重金属イオンの溶出を阻止し、しかも、洗浄性を高める水系洗浄用助剤及びそれを用いた洗浄方法に関する。
　【０００２】
　【従来の技術及び発明が解決しようとする課題】
　従来、電子部品及び精密部品等の固体表面に存在する油脂、機械油、切削油、グリース、ワックス、液晶、ロジン系フラックス等の有機物を主体とする汚れの除去には、ケロシン、ベンゼン、キシレン等の炭化水素系溶剤；トリクロロエチレン、テトラクロロエチレン等の塩素系溶剤；トリクロロトリフルオロエタン等のフロン系溶剤等の溶剤系洗浄剤が使用されていた。
　【０００３】
　しかしながら、塩素系及びフロン系溶剤を用いる洗浄剤は、安全性、毒性、環境汚染性等に大きな問題を有していることが明らかにされ、国際レベルでその使用の廃止が進められている。一方、炭化水素系溶剤、特にベンゼン、キシレン等は毒性が強く、労働安全衛生上の有害物に指定されている化合物であって、これを取り扱う作業の危険性及び煩雑さを考慮すると、洗浄剤として用いることは好ましくない。このため、電子部品及び精密部品等の汚れの洗浄にも水系の洗浄剤あるいは水でリンス可能な洗浄剤の使用が検討されている。これらの洗浄剤は洗浄剤に使用する界面活性剤やビルダー等を適宜選択配合することにより溶剤系洗浄剤と同等以上の洗浄性を有すること、あるいは引火点が無いため火災や爆発の危険がないこと、等種々の利点を有する。
　【０００４】
　しかしながら、これらの洗浄剤を用い、重金属元素を含有する結晶質又は非晶質の無機物構造体の表面、例えば着色したり屈折率を制御したりした一般用又は光学用のガラスやレンズ、あるいはセラミックスやガラス類を使用した電子部品や精密部品等の表面に付着した固定用ワックスやピッチを洗浄する場合、ワックスやピッチに由来する高級脂肪酸又は樹脂酸類が上記構造体表面を攻撃し、表面から重金属イオンを著しく溶出させることとなる。その結果、洗浄した固体表面のうち、上記構造体表面の部分がエッチングされ、その本来の機能が損なわれるという不都合があった。
　【０００５】
　水系洗浄剤の洗浄性については、これまでにも幾多の工夫がなされ、例えば特開平４−５７８９８号公報には、アルコール、脂肪酸及びアルキルアミンのポリオキシアルキレン付加物と窒素原子数が１〜５、分子量が５０〜３００の含窒素化合物と界面活性剤を併用することが示されている。又、特開平４−８８０９８号公報には炭素数１〜３の飽和１価アルコールとＨＬＢ５〜８のポリオキシエチレンアルキルエーテル型非イオン界面活性剤と特定のアミンを併用することが例示されている。
　しかし、これらの技術において用いられる化合物は何れも高級脂肪酸又は樹脂酸類と結合する力が弱く、重金属元素含有無機物構造体表面からの重金属イオンの溶出を阻止できないものであった。その結果、上記構造体表面のエッチングを防止できないという問題があった。
　【０００６】
　重金属元素含有無機物構造体表面のエッチングに関しては、例えば窯業協会誌ＶＯＬ８７，Ｎｏ．１，（１９７９）には、アルカリガラスのアルカリ溶液による浸食をＣａ（ＯＨ）２の存在により遅らせることができることが開示されている。しかし、本発明で対象とする重金属元素の溶出は、高級脂肪酸又は樹脂酸類の共存下で起こる激しい引き抜きによるものであって、溶出量が多く、エッチングの程度が著しく、上記のエッチングと異なる機構によるものである。
　【０００７】
　本発明の目的は、このようにこれまでに解決されたことのない課題を解決することにある。即ち、従来の通常の水系洗浄剤の持つ欠点を改良し、重金属元素含有無機物構造体表面から高級脂肪酸又は樹脂酸類の浸食による重金属イオンの溶出を阻止し、同時に洗浄性をも高める水系洗浄用助剤、及びこれを用いた洗浄方法を提供することにある。
　【０００８】
　【課題を解決するための手段】
　本発明者らは、上記課題を解決すべく鋭意研究を行った結果、重金属元素を含有する結晶質又は非晶質の無機物構造体を水系洗浄剤で洗浄する際に、特定の化合物を水系洗浄用助剤として使用することにより、この無機物構造体の表面から重金属イオンが溶出するのを阻止し、かつ洗浄性をも増大させることができることを見いだし、本発明を完成するに至った。
　【０００９】
　即ち本発明は、
（１）重金属元素含有無機物構造体を表面に有する固体表面から高級脂肪酸又は樹脂酸類を含有する有機系付着物を除去する際に用いる水系洗浄剤の洗浄用助剤であって、高級脂肪酸又は樹脂酸類と難解離性塩を形成するアルカリ性多価金属化合物
（但し、カルシウムを含有する化合物、バリウムを含有する化合物、ランタンを含有する化合物および／または鉛を含有する化合物を除く）
（但し、リン、硅素又は硼素より導かれたオキシ酸及びこれらのオキシ酸が重縮合した酸のうち少なくとも１種の酸成分を含有する洗浄剤、炭素数１〜３の飽和１価アルコールを１０．０重量％以上５５．０重量％未満含有する洗浄剤、又はピロリドンを４０〜９０重量％含有する洗浄剤に対する助剤を除く）
（２）重金属元素含有無機構造体を表面に有する固体表面から高級脂肪酸又は樹脂酸類を含有する有機系付着物を除去する洗浄方法において、請求項１〜４記載の水系洗浄用助剤を水系洗浄剤に対して０．１〜６重量％添加して洗浄することを特徴とする洗浄方法に関する。
　【００１０】
　本明細書において「重金属元素含有無機物構造体」（以下、単に無機物構造体と略す場合がある）とは、重金属元素を含有する結晶質又は非晶質の無機物構造体をいい、具体的には、重金属イオンによって着色された一般用ガラス，水晶，セラミックス等、あるいは、屈折率を高めるために重金属を含有させた光学用ガラスやレンズ、更には電気・電子・光学・精密工業用向けの電子部品及び精密部品等に用いられるセラミックスやガラス等を含めていうものとする。
　【００１１】
　また、本明細書において「高級脂肪酸又は樹脂酸類」とは、前記の重金属元素含有無機物構造体の表面に付着する汚れ成分であって、具体的には半導体ウェハーのポリッシング、ラッピング時の仮止め用接着剤、半導体、光学レンズ加工時のエッチング工程の接着剤、マスク剤、メッキ加工時のマスク剤、半導体、磁性材料、水晶、セラミックス、ガラス、レンズ等の切断や研磨時に使用されるワックス類中に存在する高級脂肪酸又はロジン類の樹脂
酸を
　【００１２】
　また、本明細書において、「難解離性」とは、洗浄除去の対象となる高級脂肪酸又は樹脂酸類を、使用する洗浄剤系（洗浄剤＋洗浄助剤）の設計濃度において、２５℃における飽和水溶液としたときの電気伝導度が同温度で３００μＳ以下、より高度な難解離性としては１５０μＳ以下となる状態をいう。
　【００１３】
　本発明の水系洗浄用助剤に用いる成分には、２つの態様がある。第１の型のものは、アルカリ性を示す多価金属化合物である。それを構成する陽イオンとしては、周期表第３周期ないし第６周期元素の２価以上の金属イオンであることが必要である。
　このような金属としては、具体的にはマグネシウム，カルシウム，ストロンチウム，バリウム等のアルカリ土類金属、イットリウム，ランタン及びランタノイド，チタン，クロム，マンガン，鉄，コバルト，ニッケル，銅，亜鉛，カドミウム，水銀等の遷移金属、そのほかアルミニウム，錫，アンチモン，鉛等の金属元素が有効である。
　本発明の目的からは、なかでも鉛，カドミウム，及びクロム等の多価金属イオンを含む化合物が最も効果が高いが、それらは人体に対して毒性が強いため、使用に際しては安全性に対する配慮が必須である。水系洗浄用助剤及び廃スカムの取扱に関し、例えばこれらの金属を含む触媒の取扱と同様に扱う必要がある。
　【００１４】
　安全性と水系洗浄用助剤としての性能の両面から最も好ましいのは、マグネシウム，カルシウム，鉄，アルミニウム等である。水系洗浄用助剤に用いる成分の具体的な化合物の形としては、アルカリ性を示す多価金属化合物であって、金属酸化物、金属水酸化物、炭酸塩、重炭酸塩等が望ましい。
　また、洗浄系中に入れた上記金属の粉末、粒状物、片等も有効である。即ち、これらの表面に形成された酸化物、水酸化物、炭酸塩等から溶出する多価金属イオンが、金属酸化物及び金属水酸化物等の場合と同様に利用し得る。
　【００１５】
　このような金属以外の金属化合物の場合、例えばアルカリ金属化合物では本発明の目的を達成できない。これは、高級脂肪酸、樹脂酸類等との難解離性塩形成能力がないため、これらにより無機物構造体表面から重金属イオンが溶出されることを防止することができないためである。多価金属塩がアルカリ性でない場合も同様に本発明の目的を達成することができない。
　【００１６】
　本発明の水系洗浄用助剤に用いる成分の第２の型は、アルカリ性含窒素化合物である。これについては次のような２通りのタイプのものが挙げられる。
（１）１級、２級及び３級窒素原子のうち窒素原子を１分子中に合計３ケ以上持ち、且つ全元素組成中の窒素含有量が２重量％以上、分子量が１０、０００以下の含窒素ポリマーである。具体的には例えば、ポリエチレンイミン、ポリビニルピリジン、ポリアリルアミン、ポリビニルアミン、ポリアクリロヒドラジド、ポリジメチルアミノエチルメタクリレート、ポリジエチルアミノエチルメタクリレート等の１級、２級又は３級アミノ基を含む重合性単量体の重合物あるいはそのような重合性単量体とノニオン性単量体との共重合物；及びポリアミド−エピハロヒドリン系ポリマー、３級アミノ化澱粉、３級アミノ化セルロース、グリコールキトサン、３級アミノ化ポリウレタン樹脂、３級アミノ化ポリアクリルアミド等を挙げることができる。
　含窒素ポリマーの分子量が１０、０００を越えると、高級脂肪酸又は樹脂酸類との結合生成物が粘着性を持ち、すすぎの際に洗浄物から除去され難くなり水系洗浄用助剤として好ましくない。１分子中の１級、２級又は３級窒素原子の数の合計が３より少ない場合、無機物構造体表面からの重金属の溶出を抑制することができず、本発明の目的を達成することができない。
　【００１７】
　もうひとつのタイプの含窒素化合物は、
（２）１級、２級及び３級窒素原子のうち窒素原子を１分子中に合計１〜４ケ含み、且つこれらの窒素に結合した炭素数２〜２４の、アルキル基，アルケニル基，シクロアルキル基，アリール基又はヒドロキシアルキル基を１ケ以上持った含窒素化合物である。このような化合物を具体的に例示する。
　【００１８】
　１級窒素原子を１ケ含むものとして、例えば、炭素数２〜２４のアルキル基を有するアルキルアミンや、シクロヘキシルアミン、シクロペンチルアミン等のシクロアルキルアミンが挙げられる。
　【００１９】
　２級窒素原子を１ケ含むものとして、例えば、炭素数１〜６と２〜１８のアルキル基を有するジアルキルアミン、炭素数１〜１８のアルキル基を有するモノアルキルモノエタノールアミンのようなアルカノールアミンが挙げられる。
　【００２０】
　１級、２級及び３級窒素原子のうち窒素原子を２ケ含むものとして、例えば炭素数３〜２４のメチレン鎖（場合によってはメチレン鎖の間にエーテル結合を有しても良い）で結合された構造を持つジアミン、あるいはそれらの活性水素を炭素数１〜６のアルキル基又はアルカノール基で置換したジアミン等があげられる。また、シクロアルキルアミンとしては、１，３−ビスアミノメチルシクロヘキサン，４，４−メチレンビスシクロヘキシルアミン等、及びこれらの活性水素を炭素数１〜６のアルキル基又はアルカノール基で置換したものが挙げられる。又、トリエチレンジアミン、キノキサリン、１，３−ジアミノキシレン、アミノプロピルモルホリン、２−アミノメチルピペリジン、４−アミノメチルピペリジン等と、炭素数２〜２４のアルキル基又はアルケニル基を有するアルキルプロピレンジアミン又はアルケニルプロピレンジアミン、それらの活性水素を炭素数１〜６のアルキル基又はアルカノール基で置換したもの等が挙げられる。
　【００２１】
　１級、２級及び３級窒素原子のうち窒素原子を３〜４ケ含むポリアミンとして、例えば１〜６のメチレン鎖を持つアミノアルキルピペラジン、ビスアミノアルキルピペラジンとそれらの活性水素を炭素数１〜６のアルキル基又はアルカノール基で置換したもの等を挙げることができる。
　【００２２】
　上記のアルカリ性多価金属化合物とアルカリ性含窒素化合物とは，それぞれで単独あるいは２種以上を併用しても何ら差し支えない。また、アルカリ性多価金属化合物とアルカリ性含窒素化合物とを併用することも可能である。
　尚、水系洗浄用助剤の残留時の発錆性や電気特性等が問題になる場合には、上記アルカリ性多価金属化合物を使用するよりも、アルカリ性含窒素化合物を用いる方が好ましい。
　【００２３】
　本発明の水系洗浄用助剤が高級脂肪酸又は樹脂酸類と結合して解離し難い難解離性塩を形成することは、簡便的には水系洗浄剤に洗浄系で滞留する量の高級脂肪酸又は樹脂酸類を溶解させた時の洗浄剤のｐＨと電気伝導度で確認することができる。
　即ち、高級脂肪酸又は樹脂酸類を溶解させた時の洗浄剤のｐＨが、水系洗浄用助剤以外のアルカリ物質が存在しない系で８以上になる。尚、ｐＨが１２を越えると、銅や亜鉛、アルミニウム、錫等に影響を与える可能性があるため、これらからなる部材を使用している洗浄物には注意を要する。
　尚、生成した塩が解離しているか否かは以下の方法によって知ることができる。即ち、洗浄除去の対象となる高級脂肪酸又は樹脂酸類を、使用する設計濃度における洗浄剤系（洗浄剤＋洗浄用助剤）水性溶液に飽和溶解させた時の電気伝導度を測定し、３００μＳ以下、より高度な難解離性としては１５０μＳ以下となれば難解離性を示すものである。
　【００２４】
　本発明の洗浄方法は、本発明の水系洗浄用助剤を洗浄剤に対して０．１〜６重量％、好ましくは０．２〜３重量％の範囲で添加することによって実施される。添加量が０．１重量％未満では無機物構造体のエッチング防止効果が充分ではない。６重量％を越えると、多価金属イオンを含む金属酸化物、金属水酸化物、炭酸塩、無機酸塩及び有機酸塩等では溶解度が低いために析出してしまうし、含窒素化合物の場合には洗浄剤の粘度が上昇して、リンス工程で洗浄剤などが充分にリンスされ難くなる。さらに、含窒素化合物ではコストが高くなってしまうので得策ではない。尚、固体表面に存在する汚れの量により、添加量を適宜増減する。又、添加する場所は洗浄剤と均一に混合されるのであれば、いずれの場所でも良い。
　【００２５】
　また、本発明の洗浄方法において使用される洗浄剤としては特に限定されるものではなく、一般に使用される水系洗浄剤を用いることができる。例えば、アニオン性、カチオン性、非イオン性、又は両性界面活性剤と水を基本成分として、必要により多価アルコール、グリコールエーテル等の高沸点溶剤や石油系溶剤又はｄ−リモネン等の天然物質由来の炭化水素類、アルコールとそのアルキレンオキサイド付加物、アルカリケン化剤などを加えたもの等が例示される。
　特に本発明の洗浄用助剤は、ノニオン性活性剤及びアルコールエーテル系化合物、又はこれに炭化水素系溶剤を加えた系からなる水系洗浄剤の洗浄用に最も効力を発揮する。
　【００２６】
　本発明の洗浄方法においては、本発明の効果を損なわない範囲で、必要に応じて更にヒドロキシエチルイミノ２酢酸、エチレンジアミンテトラ酢酸等のアミノカルボン酸塩等のキレート力を持つ化合物や防腐剤、酸化防止剤、防錆剤などを併用することができる。
　本発明の洗浄方法は、浸漬法、超音波洗浄法、浸漬揺動法、スプレー法、手拭き法等の各種の洗浄方法が採用でき、かつ好ましい結果を得ることができる。
　【００２７】
　【実施例】
　以下、実施例および比較例により本発明をさらに詳しく説明するが、本発明はこれらの実施例等によりなんら限定されるものではない。
　【００２８】
実施例１〜１７及び比較例１〜５
　表１に示すような成分からなる水系洗浄剤に対して、各種の水系洗浄用助剤を表２に示す添加量にて加え、洗浄試験を行った。結果を表２に示す。
　【００２９】
（テストピースの作成）
　重量比で、ＳｉＯ２：ＰｂＯ：Ｋ２Ｏ：Ｎａ２Ｏ：Ａｓ２Ｏ３＝４０．９：５０．８：６．８：０．５：１．０（重量％）なる組成を持ち、５０ｍｍ×５０ｍｍ×２ｍｍの光学用ガラス板に部品固定用ワックス（エレクトロンワックス、宗電子工業（株）製）を１ｇ溶解させて薄く塗布する。２４時間室温で冷却、放置したものをテストピースとした。
　【００３０】
（洗浄試験）
　上記のテストピースを６０℃に保った水系洗浄用助剤を含む表２記載の水系洗浄剤５０ｇに浸漬し、超音波で５分間洗浄した。次いで、３０℃のイオン交換水に１０秒間浸漬した後、８０℃、１０分間乾燥させた。
　【００３１】
（評価方法及び評価基準）
　洗浄性は、肉眼により次の基準により評価を行った。
　◎：表面極めて清浄
　○：表面にワックス残着ほとんどなし
　△：表面にワックス残着わずかにあり
　×：表面にワックス残着あり
　【００３２】
　重金属イオン（Ｐｂ２＋）溶出量は、洗浄処理後の洗浄剤中の重金属イオン（Ｐｂ２＋）を発光分光分析法（測定機ＩＣＰ−１０００，島津製作所製）により定量分析した。
　【００３３】
　【表１】
　【００３４】
　【表２】
　【００３５】
　【発明の効果】
　本発明の水系洗浄用助剤を用いることにより、重金属元素含有無機物構造体表面から高級脂肪酸又は樹脂酸類の浸食による重金属イオンの溶出を阻止し、同時に洗浄性をも高めることができる。